(57)【要約】【課題】自動的に抽出した電子メールアドレス対して添付して、人物画像の添付ファイルを持つ電子メールを送信する。【解決手段】カメラ制御部８１は、カメラ端子１７に接続されたカメラにより撮影されているカメラ画像をカメラ端子１７を介して受け取り、表示出力部１３に出力し、表示出力部１３に表示されている画像をキャプチャし、内部に、静止画像として格納し、撮影画像特徴点抽出部８３が、静止画像の特徴点データの作成を行い、画像特徴点比較部８４が、静止画像と記憶部１６内の人物画像データとの比較を行い、メモリダイヤルデータを記憶部１６から読み出し、電子メール作成処理部８５が、電子メールアドレスを抽出し、静止画像を添付ファイルとする電子メールを作成し、メール通信制御部８２が、通信処理部１２、アンテナ１１を介し、電子メールを送信する。【選択図】      図１
2004201191.tif 000002
【特許請求の範囲】
【請求項１】
カメラで撮影された人物の動画像から人物画像の静止画像を作成し、静止画像の特徴点データと、記憶装置に格納されている人物画像データの特徴点データとを比較し、最も一致度の高い人物画像データの特徴点データに対応する電子メールアドレスを前記記憶装置から抽出し、静止画像を添付した電子メールを抽出した電子メールアドレスに送信する手段を有することを特徴とする画像処理送信システム。
【請求項２】
カメラで撮影された人物の動画像から人物画像の静止画像を作成し、静止画像の特徴点データと、記憶装置に格納されている人物画像データの特徴点データとを比較し、最も一致度の高い人物画像データの特徴点データに対応する電子メールアドレスを前記記憶装置から抽出し、静止画像を添付した電子メールを抽出した電子メールアドレスに送信する手段を有することを特徴とする携帯電話。
【請求項３】
カメラにより撮影されているカメラ画像を受け取り、カメラ画像である動画像を含む第１画面を出力し、表示されている動画像をキャプチャし、静止画像として格納し、格納した静止画像を含む第２画面を出力し、電子メール送信を選択するためのメニューを含む第３画面を出力するカメラ制御部と、前記カメラ制御部から静止画像を受け取り、静止画像の特徴点データを作成し、記憶装置に格納されている各人物画像データを読み出して、各人物画像データの各特徴点データを作成する撮影画像特徴点抽出部と、
前記撮影画像特徴点抽出部から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較部と、
前記画像特徴点比較部からメモリダイヤルデータを受け取り、静止画像を前記カメラ制御部から取り出し、メモリダイヤルデータに含まれる電子メールアドレスを抽出し、静止画像を添付ファイルとする抽出した電子メールアドレス宛の電子メールを作成するメール作成処理部と、
前記電子メール作成処理部から電子メールを受け取り、電子メールを送信するメール通信制御部とを有することを特徴とする画像処理送信システム。
【請求項４】
カメラにより撮影されているカメラ画像を受け取り、カメラ画像である動画像を含む第１画面を出力し、表示されている動画像をキャプチャし、静止画像として格納し、格納した静止画像を含む第２画面を出力し、電子メール送信を選択するためのメニューを含む第３画面を出力するカメラ制御部と、前記カメラ制御部から静止画像を受け取り、静止画像の特徴点データを作成し、記憶装置に格納されている各人物画像データを読み出して、各人物画像データの各特徴点データを作成する撮影画像特徴点抽出部と、
前記撮影画像特徴点抽出部から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較部と、
前記画像特徴点比較部からメモリダイヤルデータを受け取り、静止画像を前記カメラ制御部から取り出し、メモリダイヤルデータに含まれる電子メールアドレスを抽出し、静止画像を添付ファイルとする抽出した電子メールアドレス宛の電子メールを作成するメール作成処理部と、
前記電子メール作成処理部から電子メールを受け取り、電子メールを送信するメール通信制御部とを有することを特徴とする携帯電話。
【請求項５】
カメラにより撮影されているカメラ画像を受け取り、カメラ画像である動画像、撮影ボタンを含む第１画面を出力し、撮影ボタンが選択されると表示されている動画像をキャプチャし、静止画像として格納し、格納した静止画像、メニューボタンを含む第２画面を出力し、メニューボタンが選択されると電子メール送信を選択するためのメニューを含む第３画面を出力し、メニューのメール送信が選択されると静止画像を出力するカメラ制御部と、
前記カメラ制御部から第１画面、第２画面、第３画面を受け取り表示する表示出力部と、
前記カメラ制御部から静止画像を受け取り、静止画像の特徴点データを作成し、記憶装置に格納されている各人物画像データを読み出して、各人物画像データの各特徴点データを作成する撮影画像特徴点抽出部と、
前記撮影画像特徴点抽出部から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較部と、
前記画像特徴点比較部からメモリダイヤルデータを受け取り、静止画像を前記カメラ制御部から取り出し、メモリダイヤルデータに含まれる電子メールアドレスを抽出し、静止画像を添付ファイルとする抽出した電子メールアドレス宛の電子メールを作成するメール作成処理部と、
前記電子メール作成処理部から電子メールを受け取り、電子メールを送信するメール通信制御部とを有することを特徴とする画像処理送信システム。
【請求項６】
カメラにより撮影されているカメラ画像を受け取り、カメラ画像である動画像、撮影ボタンを含む第１画面を出力し、撮影ボタンが選択されると表示されている動画像をキャプチャし、静止画像として格納し、格納した静止画像、メニューボタンを含む第２画面を出力し、メニューボタンが選択されると電子メール送信を選択するためのメニューを含む第３画面を出力し、メニューのメール送信が選択されると静止画像を出力するカメラ制御部と、
前記カメラ制御部から第１画面、第２画面、第３画面を受け取り表示する表示出力部と、
前記カメラ制御部から静止画像を受け取り、静止画像の特徴点データを作成し、記憶装置に格納されている各人物画像データを読み出して、各人物画像データの各特徴点データを作成する撮影画像特徴点抽出部と、
前記撮影画像特徴点抽出部から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較部と、
前記画像特徴点比較部からメモリダイヤルデータを受け取り、静止画像を前記カメラ制御部から取り出し、メモリダイヤルデータに含まれる電子メールアドレスを抽出し、静止画像を添付ファイルとする抽出した電子メールアドレス宛の電子メールを作成するメール作成処理部と、
前記電子メール作成処理部から電子メールを受け取り、電子メールを送信するメール通信制御部とを有することを特徴とする携帯電話。
【請求項７】
カメラで撮影された人物の動画像から人物画像の静止画像を作成し、静止画像の特徴点データと、記憶装置に格納されている人物画像データの特徴点データとを比較し、最も一致度の高い人物画像データの特徴点データに対応する電子メールアドレスを前記記憶装置から抽出し、静止画像を添付した電子メールを抽出した電子メールアドレスに送信する手順を含むことを特徴とする画像処理送信方法。
【請求項８】
カメラにより撮影されているカメラ画像を受け取り、カメラ画像である動画像を含む第１画面を出力し、表示されている動画像をキャプチャし、静止画像として格納し、格納した静止画像を含む第２画面を出力し、電子メール送信を選択するためのメニューを含む第３画面を出力するカメラ制御手順と、
前記カメラ制御手順から静止画像を受け取り、静止画像の特徴点データを作成し、記憶装置に格納されている各人物画像データを読み出して、各人物画像データの各特徴点データを作成する撮影画像特徴点抽出手順と、
前記撮影画像特徴点抽出手順から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較手順と、前記画像特徴点比較手順からメモリダイヤルデータを受け取り、静止画像を前記カメラ制御手順から取り出し、メモリダイヤルデータに含まれる電子メールアドレスを抽出し、静止画像を添付ファイルとする抽出した電子メールアドレス宛の電子メールを作成するメール作成処理手順と、
前記電子メール作成処理手順から電子メールを受け取り、電子メールを送信するメール通信制御手順とを含むことを特徴とする画像処理送信方法。
【請求項９】
カメラにより撮影されているカメラ画像を受け取り、カメラ画像である動画像、撮影ボタンを含む第１画面を出力し、撮影ボタンが選択されると表示されている動画像をキャプチャし、静止画像として格納し、格納した静止画像、メニューボタンを含む第２画面を出力し、メニューボタンが選択されると電子メール送信を選択するためのメニューを含む第３画面を出力し、メニューのメール送信が選択されると静止画像を出力するカメラ制御手順と、
前記カメラ制御手順から第１画面、第２画面、第３画面を受け取り表示する表示出力手順と、
前記カメラ制御手順から静止画像を受け取り、静止画像の特徴点データを作成し、記憶装置に格納されている各人物画像データを読み出して、各人物画像データの各特徴点データを作成する撮影画像特徴点抽出手順と、
前記撮影画像特徴点抽出手順から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較手順と、前記画像特徴点比較手順からメモリダイヤルデータを受け取り、静止画像を前記カメラ制御手順から取り出し、メモリダイヤルデータに含まれる電子メールアドレスを抽出し、静止画像を添付ファイルとする抽出した電子メールアドレス宛の電子メールを作成するメール作成処理手順と、
前記電子メール作成処理手順から電子メールを受け取り、電子メールを送信するメール通信制御手順とを含むことを特徴とする画像処理送信方法。
【請求項１０】
カメラで撮影された人物の動画像から人物画像の静止画像を作成し、静止画像の特徴点データと、記憶装置に格納されている人物画像データの特徴点データとを比較し、最も一致度の高い人物画像データの特徴点データに対応する電子メールアドレスを前記記憶装置から抽出し、静止画像を添付した電子メールを抽出した電子メールアドレスに送信する手順をコンピュータに実行させることを特徴とする画像処理送信プログラム。
【請求項１１】
カメラにより撮影されているカメラ画像を受け取り、カメラ画像である動画像を含む第１画面を出力し、表示されている動画像をキャプチャし、静止画像として格納し、格納した静止画像を含む第２画面を出力し、電子メール送信を選択するためのメニューを含む第３画面を出力するカメラ制御手順と、
前記カメラ制御手順から静止画像を受け取り、静止画像の特徴点データを作成し、記憶装置に格納されている各人物画像データを読み出して、各人物画像データの各特徴点データを作成する撮影画像特徴点抽出手順と、
前記撮影画像特徴点抽出手順から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較手順と、前記画像特徴点比較手順からメモリダイヤルデータを受け取り、静止画像を前記カメラ制御手順から取り出し、メモリダイヤルデータに含まれる電子メールアドレスを抽出し、静止画像を添付ファイルとする抽出した電子メールアドレス宛の電子メールを作成するメール作成処理手順と、
前記電子メール作成処理手順から電子メールを受け取り、電子メールを送信するメール通信制御手順とをコンピュータに実行させることを特徴とする画像処理送信プログラム。
【請求項１２】
カメラにより撮影されているカメラ画像を受け取り、カメラ画像である動画像、撮影ボタンを含む第１画面を出力し、撮影ボタンが選択されると表示されている動画像をキャプチャし、静止画像として格納し、格納した静止画像、メニューボタンを含む第２画面を出力し、メニューボタンが選択されると電子メール送信を選択するためのメニューを含む第３画面を出力し、メニューのメール送信が選択されると静止画像を出力するカメラ制御手順と、
前記カメラ制御手順から第１画面、第２画面、第３画面を受け取り表示する表示出力手順と、
前記カメラ制御手順から静止画像を受け取り、静止画像の特徴点データを作成し、記憶装置に格納されている各人物画像データを読み出して、各人物画像データの各特徴点データを作成する撮影画像特徴点抽出手順と、
前記撮影画像特徴点抽出手順から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較手順と、前記画像特徴点比較手順からメモリダイヤルデータを受け取り、静止画像を前記カメラ制御手順から取り出し、メモリダイヤルデータに含まれる電子メールアドレスを抽出し、静止画像を添付ファイルとする抽出した電子メールアドレス宛の電子メールを作成するメール作成処理手順と、
前記電子メール作成処理手順から電子メールを受け取り、電子メールを送信するメール通信制御手順とをコンピュータに実行させることを特徴とする画像処理送信プログラム。
【発明の詳細な説明】
【０００１】
【発明の属する技術分野】
本発明は、画像処理送信システム、携帯電話、画像処理送信方法、および、画像処理送信プログラムに関し、特に、電子メールを扱う画像処理送信システム、画像処理送信方法、および、画像処理送信プログラムに関する。
【０００２】
【従来の技術】
メール配信サービスを利用可能な移動電話装置等の携帯端末や、ネットワーク接続が可能なパーソナルコンピュータの普及に伴って、電子メールを利用して情報をやりとりする機会が増大しており、電子メールを利用してのコミュニケーションの発展は目覚ましいものがある。
【０００３】
このような背景をもとに、現在、電子メール送受信機能付き携帯電話機が普及している。このような携帯電話機は、さまざまな機能が検討され、カメラ付きの携帯電話機も普及しはじめ、自分で撮った写真や動画を保存できる機能をもつ携帯電話機も増えてきた。
【０００４】
また、このような電子メールを送受信することができる携帯電話機には、オプションとして、電子メール本文とは異なる画像データ、動画データなどの電子メディアを添付して、電子メールを送信することができるものがある。
【０００５】
上記、カメラ付きの携帯電話機では、自分で撮ったカメラからの画像を、電子メールに添付して送ることによって、より電子メールを個性豊かにして、電子メールの表現の拡張に成功している。
【０００６】
また、特許文献１記載の技術は、「被写体を撮影して画像データを得るカメラ部を搭載した携帯電話機であって、カメラ部からのこの画像データを取り込んでデータ処理を行う画像信号処理手段と、これらの画像データを記憶保存するメモリ手段と、得られたこれらの画像データを比較する画像比較手段とを備える携帯電話機」に関する技術である。
【０００７】
また、特許文献２記載の技術は、「撮影した電子画像情報に、その情報の送信先である固有の指定先番号情報を関連付けて、当該電子画像情報と指定先番号情報とをともに記憶し、携帯電話等の送信手段と接続することで、電子画像情報が指定先番号情報に基づき、外部装置へ自動送信できる電子カメラ、および、電子カメラのメモリーカードを装填可能な構成であって、メモリーカードに記憶された前記指定先番号情報に基づき、自動的に電話回線に接続する送信回路を備える画像送信装置」に関する技術である。
【０００８】
【特許文献１】
特開２００２−１５２３４１号公報
【特許文献２】
特開平１１−１３６６１２号公報
【０００９】
【発明が解決しようとする課題】
上述した、従来技術の問題点は、使い勝手が悪いことである。
【００１０】
その理由は、撮影した人物画像からその人物に対応する電子メールアドレスを抽出していないからである。
【００１１】
本発明の目的は、撮影した人物画像の人物に対応する電子メールアドレスを自動的に抽出し、人物画像を、電子メールで、抽出した電子メールアドレスに送信することにより使い勝手を向上させることである。
【００１２】
【課題を解決するための手段】
本発明の第１の画像処理送信システムは、カメラで撮影された人物の動画像から人物画像の静止画像を作成し、静止画像の特徴点データと、記憶装置に格納されている人物画像データの特徴点データとを比較し、最も一致度の高い人物画像データの特徴点データに対応する電子メールアドレスを前記記憶装置から抽出し、静止画像を添付した電子メールを抽出した電子メールアドレスに送信する手段を有することを特徴とする。
【００１３】
本発明の第１の携帯電話は、カメラで撮影された人物の動画像から人物画像の静止画像を作成し、静止画像の特徴点データと、記憶装置に格納されている人物画像データの特徴点データとを比較し、最も一致度の高い人物画像データの特徴点データに対応する電子メールアドレスを前記記憶装置から抽出し、静止画像を添付した電子メールを抽出した電子メールアドレスに送信する手段を有することを特徴とする。
【００１４】
本発明の第２の画像処理送信システムは、カメラにより撮影されているカメラ画像を受け取り、カメラ画像である動画像を含む第１画面を出力し、表示されている動画像をキャプチャし、静止画像として格納し、格納した静止画像を含む第２画面を出力し、電子メール送信を選択するためのメニューを含む第３画面を出力するカメラ制御部と、前記カメラ制御部から静止画像を受け取り、静止画像の特徴点データを作成し、記憶装置に格納されている各人物画像データを読み出して、各人物画像データの各特徴点データを作成する撮影画像特徴点抽出部と、前記撮影画像特徴点抽出部から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較部と、前記画像特徴点比較部からメモリダイヤルデータを受け取り、静止画像を前記カメラ制御部から取り出し、メモリダイヤルデータに含まれる電子メールアドレスを抽出し、静止画像を添付ファイルとする抽出した電子メールアドレス宛の電子メールを作成するメール作成処理部と、前記電子メール作成処理部から電子メールを受け取り、電子メールを送信するメール通信制御部とを有することを特徴とする。
【００１５】
本発明の第２の携帯電話は、カメラにより撮影されているカメラ画像を受け取り、カメラ画像である動画像を含む第１画面を出力し、表示されている動画像をキャプチャし、静止画像として格納し、格納した静止画像を含む第２画面を出力し、電子メール送信を選択するためのメニューを含む第３画面を出力するカメラ制御部と、前記カメラ制御部から静止画像を受け取り、静止画像の特徴点データを作成し、記憶装置に格納されている各人物画像データを読み出して、各人物画像データの各特徴点データを作成する撮影画像特徴点抽出部と、前記撮影画像特徴点抽出部から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較部と、前記画像特徴点比較部からメモリダイヤルデータを受け取り、静止画像を前記カメラ制御部から取り出し、メモリダイヤルデータに含まれる電子メールアドレスを抽出し、静止画像を添付ファイルとする抽出した電子メールアドレス宛の電子メールを作成するメール作成処理部と、前記電子メール作成処理部から電子メールを受け取り、電子メールを送信するメール通信制御部とを有することを特徴とする。
【００１６】
本発明の第３の画像処理送信システムは、カメラにより撮影されているカメラ画像を受け取り、カメラ画像である動画像、撮影ボタンを含む第１画面を出力し、撮影ボタンが選択されると表示されている動画像をキャプチャし、静止画像として格納し、格納した静止画像、メニューボタンを含む第２画面を出力し、メニューボタンが選択されると電子メール送信を選択するためのメニューを含む第３画面を出力し、メニューのメール送信が選択されると静止画像を出力するカメラ制御部と、前記カメラ制御部から第１画面、第２画面、第３画面を受け取り表示する表示出力部と、前記カメラ制御部から静止画像を受け取り、静止画像の特徴点データを作成し、記憶装置に格納されている各人物画像データを読み出して、各人物画像データの各特徴点データを作成する撮影画像特徴点抽出部と、前記撮影画像特徴点抽出部から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較部と、前記画像特徴点比較部からメモリダイヤルデータを受け取り、静止画像を前記カメラ制御部から取り出し、メモリダイヤルデータに含まれる電子メールアドレスを抽出し、静止画像を添付ファイルとする抽出した電子メールアドレス宛の電子メールを作成するメール作成処理部と、前記電子メール作成処理部から電子メールを受け取り、電子メールを送信するメール通信制御部とを有することを特徴とする。
【００１７】
本発明の第３の携帯電話は、カメラにより撮影されているカメラ画像を受け取り、カメラ画像である動画像、撮影ボタンを含む第１画面を出力し、撮影ボタンが選択されると表示されている動画像をキャプチャし、静止画像として格納し、格納した静止画像、メニューボタンを含む第２画面を出力し、メニューボタンが選択されると電子メール送信を選択するためのメニューを含む第３画面を出力し、メニューのメール送信が選択されると静止画像を出力するカメラ制御部と、前記カメラ制御部から第１画面、第２画面、第３画面を受け取り表示する表示出力部と、前記カメラ制御部から静止画像を受け取り、静止画像の特徴点データを作成し、記憶装置に格納されている各人物画像データを読み出して、各人物画像データの各特徴点データを作成する撮影画像特徴点抽出部と、前記撮影画像特徴点抽出部から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較部と、前記画像特徴点比較部からメモリダイヤルデータを受け取り、静止画像を前記カメラ制御部から取り出し、メモリダイヤルデータに含まれる電子メールアドレスを抽出し、静止画像を添付ファイルとする抽出した電子メールアドレス宛の電子メールを作成するメール作成処理部と、前記電子メール作成処理部から電子メールを受け取り、電子メールを送信するメール通信制御部とを有することを特徴とする。
【００１８】
本発明の第１の画像処理送信方法は、カメラで撮影された人物の動画像から人物画像の静止画像を作成し、静止画像の特徴点データと、記憶装置に格納されている人物画像データの特徴点データとを比較し、最も一致度の高い人物画像データの特徴点データに対応する電子メールアドレスを前記記憶装置から抽出し、静止画像を添付した電子メールを抽出した電子メールアドレスに送信する手順を含むことを特徴とする。
【００１９】
本発明の第２の画像処理送信方法は、カメラにより撮影されているカメラ画像を受け取り、カメラ画像である動画像を含む第１画面を出力し、表示されている動画像をキャプチャし、静止画像として格納し、格納した静止画像を含む第２画面を出力し、電子メール送信を選択するためのメニューを含む第３画面を出力するカメラ制御手順と、前記カメラ制御手順から静止画像を受け取り、静止画像の特徴点データを作成し、記憶装置に格納されている各人物画像データを読み出して、各人物画像データの各特徴点データを作成する撮影画像特徴点抽出手順と、前記撮影画像特徴点抽出手順から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較手順と、前記画像特徴点比較手順からメモリダイヤルデータを受け取り、静止画像を前記カメラ制御手順から取り出し、メモリダイヤルデータに含まれる電子メールアドレスを抽出し、静止画像を添付ファイルとする抽出した電子メールアドレス宛の電子メールを作成するメール作成処理手順と、前記電子メール作成処理手順から電子メールを受け取り、電子メールを送信するメール通信制御手順とを含むことを特徴とする。
【００２０】
本発明の第３の画像処理送信方法は、カメラにより撮影されているカメラ画像を受け取り、カメラ画像である動画像、撮影ボタンを含む第１画面を出力し、撮影ボタンが選択されると表示されている動画像をキャプチャし、静止画像として格納し、格納した静止画像、メニューボタンを含む第２画面を出力し、メニューボタンが選択されると電子メール送信を選択するためのメニューを含む第３画面を出力し、メニューのメール送信が選択されると静止画像を出力するカメラ制御手順と、前記カメラ制御手順から第１画面、第２画面、第３画面を受け取り表示する表示出力手順と、前記カメラ制御手順から静止画像を受け取り、静止画像の特徴点データを作成し、記憶装置に格納されている各人物画像データを読み出して、各人物画像データの各特徴点データを作成する撮影画像特徴点抽出手順と、前記撮影画像特徴点抽出手順から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較手順と、前記画像特徴点比較手順からメモリダイヤルデータを受け取り、静止画像を前記カメラ制御手順から取り出し、メモリダイヤルデータに含まれる電子メールアドレスを抽出し、静止画像を添付ファイルとする抽出した電子メールアドレス宛の電子メールを作成するメール作成処理手順と、前記電子メール作成処理手順から電子メールを受け取り、電子メールを送信するメール通信制御手順とを含むことを特徴とする。
【００２１】
本発明の第１の画像処理送信プログラムは、カメラで撮影された人物の動画像から人物画像の静止画像を作成し、静止画像の特徴点データと、記憶装置に格納されている人物画像データの特徴点データとを比較し、最も一致度の高い人物画像データの特徴点データに対応する電子メールアドレスを前記記憶装置から抽出し、静止画像を添付した電子メールを抽出した電子メールアドレスに送信する手順をコンピュータに実行させることを特徴とする。
【００２２】
本発明の第２の画像処理送信プログラムは、カメラにより撮影されているカメラ画像を受け取り、カメラ画像である動画像を含む第１画面を出力し、表示されている動画像をキャプチャし、静止画像として格納し、格納した静止画像を含む第２画面を出力し、電子メール送信を選択するためのメニューを含む第３画面を出力するカメラ制御手順と、前記カメラ制御手順から静止画像を受け取り、静止画像の特徴点データを作成し、記憶装置に格納されている各人物画像データを読み出して、各人物画像データの各特徴点データを作成する撮影画像特徴点抽出手順と、前記撮影画像特徴点抽出手順から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較手順と、前記画像特徴点比較手順からメモリダイヤルデータを受け取り、静止画像を前記カメラ制御手順から取り出し、メモリダイヤルデータに含まれる電子メールアドレスを抽出し、静止画像を添付ファイルとする抽出した電子メールアドレス宛の電子メールを作成するメール作成処理手順と、前記電子メール作成処理手順から電子メールを受け取り、電子メールを送信するメール通信制御手順とをコンピュータに実行させることを特徴とする。
【００２３】
本発明の第３の画像処理送信プログラムは、カメラにより撮影されているカメラ画像を受け取り、カメラ画像である動画像、撮影ボタンを含む第１画面を出力し、撮影ボタンが選択されると表示されている動画像をキャプチャし、静止画像として格納し、格納した静止画像、メニューボタンを含む第２画面を出力し、メニューボタンが選択されると電子メール送信を選択するためのメニューを含む第３画面を出力し、メニューのメール送信が選択されると静止画像を出力するカメラ制御手順と、前記カメラ制御手順から第１画面、第２画面、第３画面を受け取り表示する表示出力手順と、前記カメラ制御手順から静止画像を受け取り、静止画像の特徴点データを作成し、記憶装置に格納されている各人物画像データを読み出して、各人物画像データの各特徴点データを作成する撮影画像特徴点抽出手順と、前記撮影画像特徴点抽出手順から静止画像の特徴点データ、各人物画像データの各特徴点データを受け取り、静止画像の特徴点データと各人物画像データの各特徴点データとを比較し、最も一致度の高い人物画像データの特徴点データに対応するメモリダイヤルデータを前記記憶装置から抽出する画像特徴点比較手順と、前記画像特徴点比較手順からメモリダイヤルデータを受け取り、静止画像を前記カメラ制御手順から取り出し、メモリダイヤルデータに含まれる電子メールアドレスを抽出し、静止画像を添付ファイルとする抽出した電子メールアドレス宛の電子メールを作成するメール作成処理手順と、前記電子メール作成処理手順から電子メールを受け取り、電子メールを送信するメール通信制御手順とをコンピュータに実行させることを特徴とする。
【００２４】
【発明の実施の形態】
次に、本発明の第１の実施の形態について図面を参照して詳細に説明する。
【００２５】
図１は、本発明の第１の実施の形態の構成を示すブロック図である。
【００２６】
図１を参照すると、本発明の第１の実施の形態は、基地局と空中線を通して電波の送受信を行うアンテナ１１および通信処理部１２と、表示を行う表示出力部１３（たとえば、ファインダー等）と、端末の操作などを行うための入力部１４（たとえば、キー、マウス、ボタン等）と、電子メールデータやメモリダイヤルデータ、カメラ画像等を格納する記憶部１６（メモリ、ハードディスク装置等の記憶装置）と、カメラ画像を撮影するためのカメラと接続するためのカメラ端子１７と、制御部１８とから構成される。
【００２７】
記憶部１６には、１以上の人物画像データと各人物画像データに対応するメモリダイヤルデータとが事前に格納される。メモリダイヤルデータは、電話番号、電子メールアドレス等を含む。
【００２８】
制御部１８は、カメラ画像を撮影するためにカメラを制御するカメラ制御部８１と、電子メールを送受信するメール通信制御部８２と、カメラ画像撮影後ユーザーからのメール送信操作によりカメラ制御部８１により撮影された画像の特徴点を抽出する撮影画像特徴点抽出部８３と、撮影画像特徴点抽出部８３により抽出された特徴点と記憶部１６に保存されているメモリダイヤルデータと関連づけられている人物画像データを読み出して特徴点を比較する画像特徴点比較部８４と、画像特徴点比較部８４により特徴点の差異がもっとも少なかった人物画像からその画像が関連づけられているメモリダイヤル情報の電子メールアドレスを選択し、自動的に撮影画像を添付した電子メールデータの作成を行いメール通信制御部８２へ送信処理を要求する電子メール作成処理部８５とを備える。
【００２９】
ここで、たとえば、本発明の第１の実施の形態は、携帯電話に適用される。
【００３０】
次に、本発明の第１の実施の形態の動作について図面を参照して説明する。
【００３１】
図２は、本発明の第１の実施の形態の動作を示すフローチャートである。
【００３２】
図３は、本発明の第１の実施の形態の動作を示すフローチャートである。
【００３３】
図４は、表示画面を示す説明図である。
【００３４】
図５は、表示画面を示す説明図である。
【００３５】
まず、図２を参照して、カメラにより撮影した人物画像から、その人物画像に撮影されている人物の特徴点を抽出するまでの動作について説明する。
【００３６】
ユーザーから入力部１４を通じて、制御部１８のカメラ制御部８１が起動されると（図２ステップＳ２１）、カメラ制御部８１は、カメラ端子１７に接続されたカメラにより撮影されているカメラ画像をカメラ端子１７を介して受け取り（図２ステップＳ２２）、表示出力部１３に出力し、表示出力部１３がカメラ画像を含む第１画面を表示する（図２ステップＳ２３）。
【００３７】
図４（ａ）を参照すると、第１画面は、カメラ画像である動画像４１と、撮影ボタン４２と、メニューボタン４３とを含む。
【００３８】
次に、ユーザーが入力部１４を使用して、撮影ボタン４２を選択すると、カメラ制御部８１は、表示出力部１３に表示されている動画像４１をキャプチャし、カメラ制御部８１内部に、静止画像４１ｂとして格納する（図２ステップＳ２４）。
【００３９】
次に、カメラ制御部８１は、格納した静止画像４１ｂをふくむ第２画面を表示出力部１３に出力し、表示出力部１３が静止画像４１ｂを含む第２画面を表示する（図２ステップＳ２５）。
【００４０】
図４（ｂ）を参照すると、第２画面は、静止画像４１ｂと、メニューボタン４３とを含む。
【００４１】
次に、ユーザーが入力部１４を使用して、撮影ボタン４２を選択すると、カメラ制御部８１は、第３画面を表示出力部１３に出力し、表示出力部１３が静止画像４１ｂを含む第３画面を表示する（図２ステップＳ２６）。
【００４２】
図４（ｃ）を参照すると、第３画面は、メニュー４４（たとえば、保存、メール作成、モデルへメール送信、画像閲覧、削除を含む）、決定ボタン４５を含む。
【００４３】
ユーザーが、入力部１４を使用して、メニュー４４の「モデルへ電子メール送信」、次に、決定ボタン４５を選択すると、カメラ制御部８１は、カメラ制御部８１内部に格納した静止画像４１ｂを撮影画像特徴点抽出部８３へ渡し、第４画面を表示出力部１３に出力し、表示出力部１３が第４画面を表示する（図２ステップＳ２７）。
【００４４】
図５（ａ）を参照すると、第４画面は、ユーザーに対する「メール送信中」を示すメッセージを含むメール送信中画面４６を含む。
【００４５】
撮影画像特徴点抽出部８３は、カメラ制御部８１から静止画像４１ｂを受け取ると、静止画像４１ｂの特徴点データの作成を行う（図２ステップＳ２８）。
【００４６】
たとえば、撮影画像特徴点抽出部８３は、静止画像４１ｂから目、眉、鼻、口、頬、顔の輪郭などの特徴点データを作成する。
【００４７】
次に、撮影画像特徴点抽出部８３は、記憶部１６に格納されている各人物画像データを読み出して、各特徴点データを作成し（図２ステップＳ２９）、静止画像４１ｂからの特徴点データ、および、各人物画像データからの各特徴点データを画像特徴点比較部８４に渡す。ここで、各人物画像データは、メモリダイヤルデータと関連づけられている。
【００４８】
次に、画像特徴点比較部８４は、静止画像４１ｂからの特徴点データ、および、各人物画像データからの各特徴点データとの比較を行う（図２ステップＳ３０）。
【００４９】
画像特徴点比較部８４は、比較結果により最も一致度の高い人物画像データからの特徴点データに対応するメモリダイヤルデータを記憶部１６から抽出し（図３ステップＳ３１）、電子メール作成処理部８５に渡す。
【００５０】
次に、電子メール作成処理部８５は、画像特徴点比較部８４からメモリダイヤルデータを受け取ると、静止画像４１ｂをカメラ制御部８１から取り出し、メモリダイヤルデータに含まれる電子メールアドレス（撮影された人物の電子メールアドレスとなる）を抽出する（図３ステップＳ３２）。
【００５１】
次に、電子メール作成処理部８５は、静止画像４１ｂを添付ファイルとする抽出した電子メールアドレス宛の電子メールを作成し（図３ステップＳ３３）、メール通信制御部８２へ渡す。
【００５２】
メール通信制御部８２は、電子メール作成処理部８５から電子メールを受け取ると、通信処理部１２、アンテナ１１を介し、電子メールを送信する（図３ステップＳ３４）。
【００５３】
次に、メール通信制御部８２は、カメラ制御部８１に、電子メールの送信完了通知を渡し、カメラ制御部８１は、メール通信制御部８２から電子メールの送信完了通知を受け取ると、第５画面を表示出力部１３に出力し、表示出力部１３が第５画面を表示する（図２ステップＳ３５）。
【００５４】
図５（ｂ）を参照すると、第５画面は、送信完了を示すメッセージを含む送信完了画面４７、終了ボタン４８を含む。
【００５５】
ユーザーが、入力部１４を使用して、第５画面の終了ボタン４８を選択すると、カメラ制御部８１は、第１画面を表示出力部１３に出力し、表示出力部１３が第１画面を表示する。
【００５６】
特徴点の抽出について、撮影された画像が表情を持っていたりする場合、撮影画像特徴点抽出部８３において、静止画像４１ｂの人物画像の表情を読みとり、その画像が笑っていて、口を開けていると判断した場合、口を閉じたように、加工をおこない、特徴点比較の確度を向上させることも可能である。
【００５７】
また、記憶部１６内の人物画像データの画像が笑っていて、口を開けていると判断した場合、静止画像４１ｂを口を開けるように加工し、特徴点比較の確度を向上させることも可能である。
【００５８】
以上により、携帯電話等に適用でき、処理手順が簡略化され、使い勝手を向上することができる。
【００５９】
次に、本発明の第２の実施の形態について図面を参照して詳細に説明する。
【００６０】
本発明の第２の実施の形態は、カメラにより撮影されているカメラ画像を受け取り（図２ステップＳ２２）、カメラ画像である動画像４１、撮影ボタン４２を含む第１画面を出力し、撮影ボタン４１が選択されると表示されている動画像４１をキャプチャし、静止画像４１ｂとして格納し（図２ステップＳ２４）、格納した静止画像４１ｂ、メニューボタン４３を含む第２画面を出力し、メニューボタン４３が選択されると電子メール送信を選択するためのメニュー４４を含む第３画面を出力し、メニュー４４のメール送信が選択されると静止画像４１ｂを出力するカメラ制御手順と、
前記カメラ制御手順から第１画面、第２画面、第３画面を受け取り表示する（図２ステップＳ２３、Ｓ２５、Ｓ２６）表示出力手順と、
前記カメラ制御手順から静止画像４１ｂを受け取り、静止画像４１ｂの特徴点データを作成し（図２ステップＳ２８）、記憶部１６に格納されている各人物画像データを読み出して、各人物画像データの各特徴点データを作成する（ステップＳ２９）撮影画像特徴点抽出手順と、
前記撮影画像特徴点抽出手順から静止画像４１ｂの特徴点データ、各人物画像データの各特徴点データを受け取り、静止画像４１ｂの特徴点データと各人物画像データの各特徴点データとを比較し（図２ステップＳ３０）、最も一致度の高い人物画像データの特徴点データに対応するメモリダイヤルデータを記憶部１６から抽出する（図３ステップＳ３１）画像特徴点比較手順と、
前記画像特徴点比較手順からメモリダイヤルデータを受け取り、静止画像４１ｂを前記カメラ制御手順から取り出し、メモリダイヤルデータに含まれる電子メールアドレスを抽出し（図３ステップＳ３２）、静止画像４１ｂを添付ファイルとする抽出した電子メールアドレス宛の電子メールを作成する（図３ステップＳ３３）メール作成処理手順と、
前記電子メール作成処理手順から電子メールを受け取り、電子メールを送信する（図３ステップＳ３４）メール通信制御手順とを含む方法である。
【００６１】
次に、本発明の第３の実施の形態について図面を参照して詳細に説明する。
【００６２】
本発明の第３の実施の形態は、カメラにより撮影されているカメラ画像を受け取り（図２ステップＳ２２）、カメラ画像である動画像４１、撮影ボタン４２を含む第１画面を出力し、撮影ボタン４１が選択されると表示されている動画像４１をキャプチャし、静止画像４１ｂとして格納し（図２ステップＳ２４）、格納した静止画像４１ｂ、メニューボタン４３を含む第２画面を出力し、メニューボタン４３が選択されると電子メール送信を選択するためのメニュー４４を含む第３画面を出力し、メニュー４４のメール送信が選択されると静止画像４１ｂを出力するカメラ制御手順と、
前記カメラ制御手順から第１画面、第２画面、第３画面を受け取り表示する（図２ステップＳ２３、Ｓ２５、Ｓ２６）表示出力手順と、
前記カメラ制御手順から静止画像４１ｂを受け取り、静止画像４１ｂの特徴点データを作成し（図２ステップＳ２８）、記憶部１６に格納されている各人物画像データを読み出して、各人物画像データの各特徴点データを作成する（ステップＳ２９）撮影画像特徴点抽出手順と、
前記撮影画像特徴点抽出手順から静止画像４１ｂの特徴点データ、各人物画像データの各特徴点データを受け取り、静止画像４１ｂの特徴点データと各人物画像データの各特徴点データとを比較し（図２ステップＳ３０）、最も一致度の高い人物画像データの特徴点データに対応するメモリダイヤルデータを記憶部１６から抽出する（図３ステップＳ３１）画像特徴点比較手順と、
前記画像特徴点比較手順からメモリダイヤルデータを受け取り、静止画像４１ｂを前記カメラ制御手順から取り出し、メモリダイヤルデータに含まれる電子メールアドレスを抽出し（図３ステップＳ３２）、静止画像４１ｂを添付ファイルとする抽出した電子メールアドレス宛の電子メールを作成する（図３ステップＳ３３）メール作成処理手順と、
前記電子メール作成処理手順から電子メールを受け取り、電子メールを送信する（図３ステップＳ３４）メール通信制御手順とをコンピュータ（たとえば、携帯電話に内蔵される）に実行させるプログラムである。
【００６３】
【発明の効果】
本発明の第１の効果は、画像を簡単に取得できることである。
【００６４】
その理由は、撮影した画像を電子メールに添付して送信するからである。
【００６５】
本発明の第２の効果は、使い勝手が向上することである。
【００６６】
その理由は、人物画像の比較により、自動的に、電子メールアドレスを抽出するからである。
【図面の簡単な説明】
【図１】本発明の第１の実施の形態の構成を示すブロック図である。
【図２】本発明の第１の実施の形態の動作を示すフローチャートである。
【図３】本発明の第１の実施の形態の動作を示すフローチャートである。
【図４】表示画面を示す説明図である。
【図５】表示画面を示す説明図である。
【符号の説明】
１１    アンテナ
１２    通信処理部
１３    表示出力部
１４    入力部
１６    記憶部
１７    カメラ端子
１８    制御部
４１    動画像
４１ｂ    静止画像
４２    撮影ボタン
４３    メニューボタン
４４    メニュー
４５    決定ボタン
４６    メール送信中画面
４７    送信完了画面
４８    終了ボタン
８１    カメラ制御部
８２    メール通信制御部
８３    撮影画像特徴点抽出部
８４    画像特徴点比較部
８５    電子メール作成処理部
【図１】
2004201191.tif 000003
【図２】
2004201191.tif 000004
【図３】
2004201191.tif 000005
【図４】
2004201191.tif 000006
【図５】
2004201191.tif 000007